【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂から選ばれる少なくとも１種類の酸無水物基を有する化合物（Ａ）と、
酸無水物基に反応しうる官能基と３つ以上の不飽和二重結合とを有する化合物（Ｂ）と、を反応させてなる官能基を有する化合物（Ｃ）にさらに、
前記化合物（Ｃ）の有する官能基に反応しうる官能基を有する化合物（Ｇ）と反応させてなる化合物（Ｄ）を含んでなる感光性組成物であり、
感光後の屈折率が、１．５３以上である感光性組成物。
【請求項２】
化合物（Ｇ）が、前記化合物（Ｃ）の有する官能基に反応しうる官能基と不飽和二重結合とを有する化合物（Ｅ）である請求項１記載の感光性組成物。
【請求項３】
さらに、光重合性開始剤を含む請求項１または２記載の感光性組成物。
【請求項４】
酸無水物基に反応しうる官能基が、水酸基である請求項１〜３いずれか記載の感光性組成物。
【請求項５】
ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂から選ばれる少なくとも１種類の酸無水物基を有する化合物（Ａ）と、
酸無水物基に反応しうる官能基と３つ以上の不飽和二重結合とを有する化合物（Ｂ）と、を反応させてなる官能基を有する化合物（Ｃ）にさらに、
前記化合物（Ｃ）の有する官能基に反応しうる官能基を有する化合物（Ｇ）と反応させることを特徴とする感光性組成物の製造方法。
【請求項６】
化合物（Ｇ）が、前記化合物（Ｃ）の有する官能基に反応しうる官能基と不飽和二重結合とを有する化合物（Ｅ）である請求項５記載の感光性組成物の製造方法。
【請求項７】
基材上に、請求項１〜４いずれか記載の感光性組成物を積層してなる積層体。
【請求項８】
基材上に、請求項１〜４いずれか記載の感光性組成物を積層する工程と、前記感光性組成物に光を照射する工程とを含む積層体の製造方法。
【手続補正２】
【補正対象書類名】明細書
【補正対象項目名】０００４
【補正方法】変更
【補正の内容】
【０００４】
すなわち、本発明は、ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂から選ばれる少なくとも１種類の酸無水物基を有する化合物（Ａ）と、
酸無水物基に反応しうる官能基と３つ以上の不飽和二重結合とを有する化合物（Ｂ）と、を反応させてなる官能基を有する化合物（Ｃ）にさらに、
前記化合物（Ｃ）の有する官能基に反応しうる官能基を有する化合物（Ｇ）と反応させてなる化合物（Ｄ）を含んでなる感光性組成物であり、
感光後の屈折率が、１．５３以上である感光性組成物に関する。
【手続補正３】
【補正対象書類名】明細書
【補正対象項目名】０００８
【補正方法】変更
【補正の内容】
【０００８】
また本発明は、ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂から選ばれる少なくとも１種類の酸無水物基を有する化合物（Ａ）と、
酸無水物基に反応しうる官能基と３つ以上の不飽和二重結合とを有する化合物（Ｂ）と、を反応させてなる官能基を有する化合物（Ｃ）にさらに、
前記化合物（Ｃ）の有する官能基に反応しうる官能基を有する化合物（Ｇ）と反応させることを特徴とする感光性組成物の製造方法に関する。
【手続補正４】
【補正対象書類名】明細書
【補正対象項目名】００１３
【補正方法】変更
【補正の内容】
【００１３】
＜官能基を有する化合物（Ｃ）＞
化合物（Ｃ）は、ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂から選ばれる少なくとも１種類の酸無水物基を有する化合物（Ａ）の酸無水物基と、化合物（Ｂ）の酸無水物基と反応しうる官能基とを反応させたものである。化合物（Ｃ）はカルボキシル基を有するが、化合物（Ｂ）の種類によっては、化合物（Ｃ）は、さらに水酸基も有する場合がある。化合物（Ｃ）と反応する化合物（Ｄ）は、カルボキシル基と水酸基のいずれか、あるいは両方と反応しうる。そのため、本発明では、官能基を有する化合物（Ｃ）と称する。
【手続補正５】
【補正対象書類名】明細書
【補正対象項目名】００１４
【補正方法】変更
【補正の内容】
【００１４】
＜酸無水物基を有する化合物（Ａ）＞
化合物（Ａ）は、ビフェニルテトラカルボン酸二無水物、ジフェニルスルホンテトラカルボン酸二無水物、ジフェニルスルフィドテトラカルボン酸二無水物、ペリレンテトラカルボン酸二無水物、ナフタレンテトラカルボン酸二無水物、無水フタル酸、無水トリメリット酸、スチレン−無水マレイン酸共重合樹脂、及びｐ−フェニルスチレン−無水マレイン酸共重合樹脂である。これらは２種以上の混合物であってもよい。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
本発明において、これらの化合物を単独使用または併用で使用できる。また、反応中に脱水反応を経由して無水物と成りうるポリカルボン酸、ポリカルボン酸エステル、ポリカルボン酸ハーフエステルなどは、本発明で言う２つ以上のカルボン酸無水物基を有する化合物に含まれる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
なかでも、ビフェニル骨格を有するビフェニルテトラカルボン酸二無水物、ｐ−フェニルスチレン−無水マレイン酸共重合樹脂などは、本発明において、ビフェニル骨格を分子内に効率よく導入できる化合物であり、特に好ましい。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００６５
【補正方法】削除
【補正の内容】
【手続補正１６】
【補正対象書類名】明細書
【補正対象項目名】００７７
【補正方法】変更
【補正の内容】
【００７７】
表１
【表１】
2006137903.tif 000001